(57)【要約】【課題】水冷式の熱源装置を温熱源として利用する場合に比して、より一層の省エネ効果が期待できる熱源システムを提供する。【解決手段】熱源システム１０は、アスファルト３の道路等に埋設され、空調機1から送られてくる温水（ＨＲ）と地表面との間で熱交換を行う配水管１１を備える。ＰＬＣ１９は、アスファルト３の温度が所定の温度以上であれば、バルブＢＶ３を開制御し、バルブＢＶ１，ＢＶ２，ＢＶ４を閉制御する。ＴＩＣ１７は、三方弁１５の開閉制御を行い、配水管１１で温められた温水を、配水管１１をバイパスした温水と混合して、温水が所定の温度となるように調節する。所定の温度の温水は、熱交換器２１を通過することなく空調機１に直接供給される。【選択図】図１
2019105385.tif 000002
【特許請求の範囲】
【請求項１】
所定の温度の媒体を設備に供給する熱源システムにおいて、
地表面の近傍に埋設され、前記熱源システムに送られてくる媒体と地表面との間で熱交換を行う熱交換手段と、
前記熱交換手段により熱交換された媒体を所定の温度に調節して前記設備に供給する供給機構と、
を有し、太陽の日射により温められた地表面の熱を温熱源として利用することを特徴とする熱源システム。
【請求項２】
前記熱交換手段は、舗装されている地表面の下に埋設される配管であることを特徴とする請求項１に記載の熱源システム。
【請求項３】
前記供給機構は、前記熱交換手段により熱交換された媒体の温度が所定の温度となるよう調節する温度調節機構を備えることを特徴とする請求項１に記載の熱源システム。
【請求項４】
前記温度調節機構は、
前記熱源システムに送られてくる媒体のうち前記熱交換手段により熱交換された媒体と、前記熱交換手段により熱交換されない媒体と、を混合する三方弁と、
前記三方弁から出力される媒体の温度を測定する測定手段と、
前記測定手段により測定された媒体の温度に基づき前記三方弁の開度を制御することで、前記熱交換手段により熱交換された媒体の温度が所定の温度となるよう調節する三方弁制御手段と、
を有することを特徴とする請求項３に記載の熱源システム。
【請求項５】
前記供給機構は、前記熱源システムに送られてくる媒体の温度と地表面の温度との関係によって前記設備に供給する媒体の流路を制御する流路制御手段を有することを特徴とする請求項３に記載の熱源システム。
【請求項６】
前記流路制御手段は、前記温度調節機構により媒体の温度が所定の温度に調節されている場合、媒体を前記設備に直接供給することを特徴とする請求項５に記載の熱源システム。
【請求項７】
前記流路制御手段は、前記熱交換手段により熱交換された媒体の温度が所定の温度に達するよう前記温度調節機構が調節できない場合、媒体を加熱手段に供給して所定の温度に加熱させてから前記設備に供給することを特徴とする請求項５に記載の熱源システム。
【請求項８】
前記流路制御手段は、前記熱源システムに送られてくる媒体の温度より前記地表面の温度が低い場合、媒体を前記熱交換手段に供給することなく加熱手段に供給して所定の温度に加熱させてから前記設備に供給することを特徴とする請求項５に記載の熱源システム。
【請求項９】
前記設備は、除湿再加熱制御を行う空調機であることを特徴とする請求項１に記載の熱源システム。
【請求項１０】
前記熱源システムに送られてくる媒体は、前記供給機構により供給されてくる所定の温度の媒体が前記空調機により利用されることで所定の温度より低くなった媒体であることを特徴とする請求項９に記載の熱源システム。
【発明の詳細な説明】
【技術分野】
【０００１】
本発明は、熱源システム、特に熱源システムにおける温熱源に関する。
【背景技術】
【０００２】
４管式のセントラル空調では、除湿を行うために除湿再加熱制御を行っている。除湿再加熱制御では、要求温度より冷たい空気にするためにいったん過冷却し、その後加熱を行うために、夏期においても空調機に冷水だけでなく温水も供給している。この供給する温水の生成のために、ガスや電気といったエネルギーを消費すると、省エネが実現しにくくなる。
【０００３】
そこで、吸収式冷凍機から送出される使用済みの冷却水の温度が変流量制御により高温に保たれるので、従来では、この高温の使用済みの冷却水を空調機での冷却除湿に続く空気の再熱の熱源に有効利用する技術が提案されている（例えば、特許文献１）。
【先行技術文献】
【特許文献】
【０００４】
【特許文献１】特開２００６−１７０５０８号公報
【特許文献２】特開２００７−２１２０８５号公報
【発明の概要】
【発明が解決しようとする課題】
【０００５】
しかしながら、特許文献１では、水冷式の熱源装置（吸収式冷凍機）を温熱源として利用しているが、熱源装置での排熱だけで使用済み冷却水を所望の温度まで加熱することはそれほど期待できない。つまり、使用済み冷却水を所望の温度まで加熱するためにエネルギーが消費される。
【０００６】
本発明は、水冷式の熱源装置を温熱源として利用する場合に比して、より一層の省エネ効果が期待できる熱源システムを提供することを目的とする。
【課題を解決するための手段】
【０００７】
本発明に係る熱源システムは、所定の温度の媒体を設備に供給する熱源システムにおいて、地表面の近傍に埋設され、前記熱源システムに送られてくる媒体と地表面との間で熱交換を行う熱交換手段と、前記熱交換手段により熱交換された媒体を所定の温度に調節して前記設備に供給する供給機構と、を有し、太陽の日射により温められた地表面の熱を温熱源として利用することを特徴とする。
【０００８】
また、前記熱交換手段は、舗装されている地表面の下に埋設される配管であることを特徴とする。
【０００９】
また、前記供給機構は、前記熱交換手段により熱交換された媒体の温度が所定の温度となるよう調節する温度調節機構を備えることを特徴とする。
【００１０】
また、前記温度調節機構は、前記熱源システムに送られてくる媒体のうち前記熱交換手段により熱交換された媒体と、前記熱交換手段により熱交換されない媒体と、を混合する三方弁と、前記三方弁から出力される媒体の温度を測定する測定手段と、前記測定手段により測定された媒体の温度に基づき前記三方弁の開度を制御することで、前記熱交換手段により熱交換された媒体の温度が所定の温度となるよう調節する三方弁制御手段と、を有することを特徴とする。
【００１１】
また、前記供給機構は、前記熱源システムに送られてくる媒体の温度と地表面の温度との関係によって前記設備に供給する媒体の流路を制御する流路制御手段を有することを特徴とする。
【００１２】
また、前記流路制御手段は、前記温度調節機構により媒体の温度が所定の温度に調節されている場合、媒体を前記設備に直接供給することを特徴とする。
【００１３】
また、前記流路制御手段は、前記熱交換手段により熱交換された媒体の温度が所定の温度に達するよう前記温度調節機構が調節できない場合、媒体を加熱手段に供給して所定の温度に加熱させてから前記設備に供給することを特徴とする。
【００１４】
また、前記流路制御手段は、前記熱源システムに送られてくる媒体の温度より前記地表面の温度が低い場合、媒体を前記熱交換手段に供給することなく加熱手段に供給して所定の温度に加熱させてから前記設備に供給することを特徴とする。
【００１５】
また、前記設備は、除湿再加熱制御を行う空調機であることを特徴とする。
【００１６】
また、前記熱源システムに送られてくる媒体は、前記供給機構により供給されてくる所定の温度の媒体が前記空調機により利用されることで所定の温度より低くなった媒体であることを特徴とする。
【発明の効果】
【００１７】
本発明によれば、太陽の日射により温められた地表面の熱を温熱源として有効利用することで、より一層の省エネ効果が期待できる。
【図面の簡単な説明】
【００１８】
【図１】本発明に係る熱源システムの一実施の形態を示した計装図である。
【図２】本実施の形態においてＰＬＣ（Ｐｒｏｇｒａｍｍａｂｌｅ  Ｌｏｇｉｃ  Ｃｏｎｔｒｏｌｌｅｒ）が行うバルブの開閉制御の開閉パターンをテーブル形式にて示す図である。
【図３】本実施の形態におけるＴＩＣ（Ｔｅｍｐｅｒａｔｕｒｅ  Ｉｎｄｉｃａｔｉｏｎ  Ｃｏｎｔｒｏｌｌｅｒ）が行う三方弁制御を示す図である。
【発明を実施するための形態】
【００１９】
以下、図面に基づいて、本発明の好適な実施の形態について説明する。
【００２０】
図１は、本発明に係る熱源システムの一実施の形態を示した計装図である。本実施の形態では、温水を供給する設備として、４管式の空調機（ＡＨＵ：Ａｉｒ  Ｈａｎｄｌｉｎｇ  Ｕｎｉｔ）１を想定している。そのため、空調機１に冷水も供給する構成も有しているが、本実施の形態では、説明に用いないので図１から便宜的に省略している。なお、冷水を空調機１に供給する構成は、従前と同じでよい。
【００２１】
本実施の形態における熱源システム１０は、所定の温度の温水（ＨＳ）を空調機１に供給する。空調機１における加熱コイル（ＨＣ）２は、この温水（ＨＳ）によって過冷却された空気を再加熱する。再加熱に利用された温水（ＨＲ）は、所定の温度より低温になった状態で熱源システム１０に戻される。
【００２２】
本実施の形態における熱源システム１０は、大きく熱交換手段１１と供給機構１２とに大別される。熱交換手段１１は、地表面の近傍に埋設され、熱源システム１０に空調機１から送られてくる温水（ＨＲ）と地表面との間で熱交換を行う。本実施の形態では、熱交換手段を配水管にて実現する。道路や駐車場等は、通常、アスファルト等によって舗装されている。本実施の形態では、道路等がアスファルト３によって舗装されていることを前提に説明するが、熱交換手段（以下、「配水管」という）１１は、そのアスファルト３の下、つまりアスファルトと地表面との間に埋設される。後述する説明からその理由が明らかになるが、省エネ効果を向上させるためには、配水管１１は、相対的に細く、長く、またアスファルト３と接するよう設置するのが効果的である。また、温度検出器（ＴＥ：Ｔｅｍｐｅｒａｔｕｒｅ  ｓｅｎｓｉｎｇ  Ｅｌｅｍｅｎｔ）１３は、アスファルト３の温度を測定する測定手段である。
【００２３】
供給機構１２は、配水管１１での熱交換により温められた温水を所定の温度に調節して空調機１に供給する。所定の温度、すなわち空調機１に供給する温水（ＨＳ）の温度として、本実施の形態では、おおよそ４０度を想定している。もちろん、この温度に限る必要はないし、所定の温度に幅（範囲）を持たせてもよい。
【００２４】
図１において、実線は配水管を、破線は信号線（制御信号線、データ信号線）を示している。また、ＢＶ１〜ＢＶ４は、バルブである。
【００２５】
空調機１から送られてくる温水（ＨＲ）が流れる配水管には、温水（ＨＲ）の温度を測定する温度検出器１４が取り付けられ、ポンプ２０側とバルブＢＶ１側に分岐される。ポンプ２０から先に延びる配水管は、配水管１１側と配水管１１を通らずに三方弁１５側に分岐される。配水管１１の出口は、三方弁１５の入口の１つに接続される。
【００２６】
三方弁１５の出口から先に延びる配水管は、バルブＢＶ２側とバルブＢＶ３側に分岐される。三方弁１５の出口近傍の配水管には、三方弁１５の出口における温水の温度を測定する配管温度検出器（ＴＥＷ：Ｔｅｍｐｅｒａｔｕｒｅ  ｓｅｎｓｉｎｇ  Ｅｌｅｍｅｎｔ  ｆｏｒ  Ｗａｔｅｒ）１６が取り付けられる。バルブＢＶ３から先に延びる配水管は、空調機１に温水（ＨＳ）を送る。一方、バルブＢＶ２から先に延びる配管は、ポンプ２３を介して熱交換器２１に接続される。バルブＢＶ１から先に延びる配水管は、バルブＢＶ２とポンプ２３との間の配水管と接合される。熱交換器２１から先に延びる配水管は、バルブＢＶ４を介してバルブＢＶ３側からの配水管と接合され、前述したように温水（ＨＳ）を空調機１に送る。配水管とバルブＢＶ１〜ＢＶ４、更に三方弁１５、温度検出器１４、配管温度検出器１６、ポンプ２０，２３及び熱交換器２１は前述した接続関係にある。
【００２７】
ＴＩＣ１７は、配管温度検出器１６により測定された温水の温度に基づき三方弁１５の開度を制御することで、配水管１１により熱交換された温水の温度が所定の温度となるよう調節する三方弁制御手段として機能する。ＴＩＣ１７は、コントローラであり、ＣＰＵ、ＲＯＭ、ＲＡＭ、ハードディスクドライブ（ＨＤＤ）等の記憶手段を搭載し、インストールされたプログラムに従って動作、制御する。三方弁制御手段をＰＬＣで実現してもよい。電動モータ１８は、ＴＩＣ１７による制御のもと、三方弁１５の開閉を行う。熱源システム１０は、配水管１１により熱交換された温水の温度が所定の温度となるよう調節する温度調節機構を備えているが、本実施の形態では、ＴＩＣ１７、三方弁１５、配管温度検出器１６及び電動モータ１８によって温度調節機構を実現する。
【００２８】
ＰＬＣ１９は、バルブＢＶ１〜ＢＶ４の開閉制御及びポンプ２０の動作制御を行うコントローラであり、温度検出器１３，１４による測定温度に基づきバルブＢＶ１〜ＢＶ４を後述するように開閉させることで、空調機１から送られ、また空調機１に供給する温水の流路を制御する流路制御手段として機能する。ＰＬＣ１９は、ＣＰＵ、ＲＯＭ、ＲＡＭ、ハードディスクドライブ（ＨＤＤ）等の記憶手段を搭載し、インストールされたプログラムに従って動作、制御する。
【００２９】
熱交換器２１は、送られてきた温水を所定の温度に加熱する加熱手段である。温熱源装置２２は、熱交換器２１の熱源として利用される。熱交換器２１及び温熱源装置２２は、既設の設備を利用してもよい。
【００３０】
図２は、本実施の形態においてＰＬＣ１９が行うバルブＢＶ１〜ＢＶ４の開閉制御の開閉パターンをテーブル形式にて示す図である。本実施の形態におけるＰＬＣ１８は、フリーヒーティング、プレヒーティング及びヒーティング無しという３種類の制御モードに従ってバルブＢＶ１〜ＢＶ４の開閉制御を行う。本実施の形態では、前述したように温水の加熱手段として熱交換器２１を用意しているが、「フリーヒーティング」は、熱交換器２１を利用せずに温水を加熱する手段として配水管１１のみを利用するモードである。すなわち、空調機１から送られてくる温水（ＨＲ）を配水管１１に供給し、配水管１１で温められた温水を温度調節機構によって所定の温度に調節してから空調機１に直接供給するモードである。このように、フリーヒーティングでは、温水を、配水管１１を通過させ、熱交換器２１を通過させないように流路制御する。
【００３１】
「プレヒーティング」は、フリーヒーティングと同様に、空調機１から送られてくる温水（ＨＲ）を配水管１１に供給するものの、配水管１１で熱交換された温水の温度が所定の温度に達するよう温度調節機構が調節できない場合、配水管１１を介して前もって加熱した温水を熱交換器２１に供給して所定の温度になるまで更に加熱させてから空調機１に供給するモードである。プレヒーティングでは、温水を、加熱する手段である配水管１１及び熱交換器２１の双方を通過させるように流路制御する。
【００３２】
「ヒーティング無し」は、温水の加熱手段として配水管１１を全く利用せずに空調機１から送られてくる温水を熱交換器２１に直接供給するモードである。すなわち、空調機１から送られてくる温水（ＨＲ）を熱交換器２１に供給して所定の温度に加熱させてから空調機１に供給するモードである。ヒーティング無しでは、温水を、熱交換器２１を通過させ、配水管１１を通過させないように流路制御する。
【００３３】
本実施の形態において特徴的なことは、太陽の日射により温められた地表面の熱を温熱源として利用することである。アスファルト３の場合、太陽の日射により６０℃近くまで温度が上昇する場合がある。本実施の形態では、太陽の日射により熱せられたアスファルト３の熱を利用して、ぬるくなった温水（ＨＲ）を熱交換により高温にする。配水管１１を埋設する初期費用はかかるかもしれないが、その後のランニングコストは、三方弁１５及びバルブＢＶ１〜ＢＶ４を開閉させ、またポンプ２０を駆動させる程度ですむ。
【００３４】
以下、本実施の形態における熱源システム１０の作用について説明する。熱源システム１０は、空調機１から送られてくる所定の温度（４０℃）未満の温水（ＨＲ）の温度を、所定の温度の温水（ＨＳ）にしてから空調機１に供給する。そのために、ＰＬＣ１９は、温度検出器１４により測定される温水（ＨＲ）の温度と、温度検出器１３により測定されるアスファルト３の温度との関係によって空調機１に供給する温水の流路を制御する。
【００３５】
まず、アスファルト３の温度が所定の温度以上であれば、温水（ＨＲ）を配水管１１に送ることで所定の温度まで上昇させることが可能である。従って、アスファルト３の温度が所定の温度以上の場合、アスファルト３の温度は温水（ＨＲ）の温度より高いとも言えるが、この場合、ＰＬＣ１９は、フリーヒーティングモードで熱源システム１０を運転させる。つまり、図２に示すテーブルに従うと、バルブＢＶ３を開制御し、バルブＢＶ１，ＢＶ２，ＢＶ４を閉制御する。これにより、温水（ＨＲ）は、ポンプ２０を通って矢印Ａに示すように配水管１１に送られる。また、矢印Ｂに示すように三方弁１５にも送られる。
【００３６】
配水管１１に送られた温水は、太陽の日射により熱せられたアスファルト３と配水管１１との間の熱交換により加熱され、三方弁１５に送られる。
【００３７】
三方弁１５には、配水管１１を通ることで加熱された温水と、配水管１１をバイパスし、空調機１からの加熱されていない温水と、が送られてくる。ＴＩＣ１７は、配管温度検出器１６による測定温度に基づいて三方弁１５の入口側の開度を調節することによって三方弁１５の出口から出す温水の温度を調節する。
【００３８】
図３は、本実施の形態におけるＴＩＣ１７が行う三方弁制御を示す図であり、配水管１１側の入口（以下、単に「配水管側」という）の開度を示す図である。図３において、“ＳＰ”は上記所定の温度に相当する設定値である。配水管側の温水の温度が所定の温度（４０℃）の場合、配水管側からの温水のみを出力すればよい。そのために、配水管側の開度を１００％、配水管１１をバイパスした側の入口（以下、単に「バイパス側」という）の開度を０％とする。そして、配水管側の温水の温度が所定の温度（４０℃）より高くなるに連れ、配水管側の開度を１００％から絞っていき、一方、バイパス側の開度を０％から上げていく。このようにして、ＴＩＣ１７は、所定の温度以上の配水管側の温水に、加熱されていない４０℃未満のバイパス側の温水を混合することで、三方弁１５の出口から出る温水が所定の温度となるよう調節する。
【００３９】
以上のようにして所定の温度に温度調節された温水は、バルブＢＶ２が閉じ、バルブＢＶ３が開いていることから、矢印Ｃ方向に流れ、バルブＢＶ３を通って空調機１に供給される。
【００４０】
以上説明したように、本実施の形態によれば、太陽の日射により熱せられたアスファルト３の熱を利用して、ぬるくなった温水（ＨＲ）を熱交換により所定の温度まで加熱し所定の温度となった温水（ＨＳ）を空調機１に供給することができる。この際、温熱源装置２２を温熱源とする熱交換器２１を一切作動させる必要がない。このため、温熱源装置２２を動作させるための燃料代は不要となるので、省エネ効果を向上させることができ、ランニングコストの削減につながる。
【００４１】
ところで、日射の関係で、温水（ＨＲ）を配水管１１による熱交換だけでは所定の温度以上に加熱することができない場合がある。アスファルト３の温度が４０℃に満たない場合がこれに該当する。つまり、アスファルト３の測定温度が４０℃に満たないものの温水（ＨＲ）の温度より高い場合、ＰＬＣ１９は、プレヒーティングモードで熱源システム１０を運転させる。つまり、図２に示すテーブルに従うと、バルブＢＶ２，ＢＶ４を開制御し、バルブＢＶ１，ＢＶ３を閉制御する。これにより、温水（ＨＲ）は、ポンプ２０を通って矢印Ａに示すように配水管１１に送られる。また、矢印Ｂに示すように三方弁１５にも送られる。
【００４２】
そして、フリーヒーティングモードと同様に、ＴＩＣ１７は、配管温度検出器１６による測定温度に基づいて三方弁１５の出口から出す温水の温度を調節する。しかしながら、ここでは、温水の測定温度は所定の温度に満たない。この場合、ＴＩＣ１７は、配水管１１側の開度を１００％として三方弁１５から温水を出力させる。
【００４３】
この温水は、矢印Ｄ方向に流れ、開制御されているバルブＢＶ２及びポンプ２３を通って熱交換器２１に送られる。バルブＢＶ３は閉制御されているので、空調機１に送られることはない。熱交換器２１では、送られてきた温水を所定の温度になるまで加熱して出力する。熱交換器２１から出される温水は、バルブＢＶ４が開制御され、バルブＢＶ３が閉制御されていることから空調機１に供給される。
【００４４】
本実施の形態によれば、配水管１１による熱交換だけでは温水の温度を所定の温度まで上げることができない場合、熱交換器２１を利用して所定の温度まで温度を上昇させる。ただ、温水の加熱の全てを熱交換器２１に任せるのではなく、温水を配水管１１に送り若干でも加熱させることで省エネ効果の低下を少しでも回避する。つまり、温水（ＨＲ）を、配水管１１を通して加熱し、不十分な温度上昇を熱交換器２１で補完させるように流路制御する。
【００４５】
ところで、太陽の日射が足りない場合や冬場などでは、アスファルト３の温度が温水（ＨＲ）の温度より低い場合も想定しうる。この場合、配水管１１で熱交換が行われると、温水（ＨＲ）の温度が更に低下してしまう可能性が生じてくる。従って、アスファルト３の温度が温水（ＨＲ）より低い場合、ＰＬＣ１９は、ヒーティング無しモードで熱源システム１０を運転させる。つまり、図２に示すテーブルに従うと、バルブＢＶ１，ＢＶ４を開制御し、バルブＢＶ２，ＢＶ３を閉制御する。これにより、温水（ＨＲ）は、矢印Ｅに示すように流れ、ポンプ２３を介して熱交換器２１に送られる。熱交換器２１では、送られてきた温水を所定の温度になるまで加熱して出力する。熱交換器２１から出される温水は、プレヒーティングモードと同様に空調機１に直接供給される。
【００４６】
本実施の形態によれば、アスファルト３の温度が温水（ＨＲ）より低い場合、配水管１１による熱交換を全く利用せずに熱交換器２１を利用して温水の温度を上げる。他の制御モードのように配水管１１側に送った温水を利用すると、その温水の温度は却って低下している可能性があるので、本実施の形態では、バルブＢＶ２，ＢＶ３を閉じることで悪影響を及ぼしかねない熱交換を回避するようにした。
【００４７】
以上説明したように、本実施の形態では、配水管１１をアスファルト３で舗装されている道路等に埋設する場合を例にして説明した。上記説明から明らかなように、温水（ＨＲ）の温度を上昇させるためには、配水管１１を相対的に細く、長く、アスファルト３に接触するように設置するのが効果的である。アスファルト３は、太陽の日射により高温になりやすいため、熱利用には効率的であるが、熱せられるような地表面であれば、必ずしもアスファルト３に限定する必要はない。例えば、石、煉瓦、コンクリート、砂利などが敷き固められて舗装されている地表面でもよい。本実施の形態と同様に太陽光（太陽の日射）を利用するシステムとして太陽光発電システムが存在する。太陽光発電システムのパネルを屋根ではなく道路等に設置するとしても、地表面上に設置する必要がある。これに対し、本実施の形態は地表面下に埋設するので、配水管１１の設置スペースは、太陽光発電のパネルと比較して制限を受けにくい。また、配水管１１は、管の太さ、長さ、素材等について選択の余地があるので、設置する場所や方法に柔軟に対応しやすい。
【００４８】
また、本実施の形態では、温水を提供する設備として４管式の空調機１を例にして説明したが、温水を利用する異なる設備にも適用可能である。例えば、温水をシャワーなどの浴室の設備や病院等の施設に供給してもよい。
【００４９】
本実施の形態では、太陽の日射により温められた地表面の熱を温熱源として利用することを特徴としている。その一実施の形態として、空調機１と熱源システム１０の間で温水を循環させる空調システムに適用した場合を例にして説明した。つまり、空調機１が温水（ＨＳ）の供給先であり、温水（ＨＲ）の供給元でもあるが、温水の供給先と供給元を、必ずしも一致させる必要はない。
【００５０】
また、本実施の形態では、水を媒体とした場合を例にして説明したが、水以外の流体、また流体以外の気体等他の媒体にも適用可能である。
【符号の説明】
【００５１】
１  空調機、２  加熱コイル（ＨＣ）、３  アスファルト、１０  熱源システム、１１  熱交換手段（配水管）、１２  供給機構、１３，１４  温度検出器、１５  三方弁、１６  配管温度検出器、１７  ＴＩＣ、１８  電動モータ、１９  ＰＬＣ、２０，２３  ポンプ、２１  熱交換器、２２  温熱源装置、ＢＶ１，ＢＶ２，ＢＶ３，ＢＶ４  バルブ。
【図１】
2019105385.tif 000003
【図２】
2019105385.tif 000004
【図３】
2019105385.tif 000005